(57)【要約】【課題】書籍・雑誌の盗難や無断持ち出しを防止できる失活可能な磁気ワイヤータグを、外観からは見えない位置に備えた書籍・雑誌を提供する。【解決手段】本発明の磁気ワイヤータグ付き書籍・雑誌１は、本文頁と表紙を中綴じし、失活可能な磁気ワイヤータグ２を付けた書籍・雑誌であって、当該磁気ワイヤータグが中綴じするいずれかの折丁１１の仮表紙の外面または内面の折り目部であって、中綴じする針金（ステッチ）を避けるように貼着されていることを特徴とする。また、書籍・雑誌は本文頁と表紙を平綴じ、無線綴じ、あじろ綴じする場合にも、折丁に磁気ワイヤータグを貼着した後に製本して磁気ワイヤータグ付き書籍・雑誌とすることができる。【選択図】　　図１
2004066608.tif 000002
【特許請求の範囲】
【請求項１】
本文頁と表紙を中綴じし、失活可能な磁気ワイヤータグを付けた書籍・雑誌であって、当該磁気ワイヤータグが中綴じするいずれかの折丁の仮表紙の外面または内面の折り目部であって、中綴じする針金を避けるように貼着されていることを特徴とする磁気ワイヤータグ付き書籍・雑誌。
【請求項２】
本文頁を平綴じして表紙貼りし、失活可能な磁気ワイヤータグを付けた書籍・雑誌であって、当該磁気ワイヤータグが平綴じするいずれかの折丁の仮表紙の外面または内面のノド元近くであって、平綴じする針金を避けるように貼着されていることを特徴とする磁気ワイヤータグ付き書籍・雑誌。
【請求項３】
本文頁と表紙を無線綴じまたはあじろ綴じして、失活可能な磁気ワイヤータグを付けた書籍・雑誌であって、当該磁気ワイヤータグが無線綴じまたはあじろ綴じするいずれかの折丁の仮表紙の外面または内面のノド元近くに貼着されていることを特徴とする磁気ワイヤータグ付き書籍・雑誌。
【請求項４】
磁気ワイヤータグがアモルファス金属細線の端部に失活用金属薄板を配置した構造からなることを特徴とする請求項１から請求項３のいずれかの請求項に記載の磁気ワイヤータグ付き書籍・雑誌。
【請求項５】
磁気ワイヤーがノド元から３〜１０ｍｍ以内の位置に貼着されていることを特徴とする請求項２または請求項３記載の磁気ワイヤータグ付き書籍・雑誌。
【発明の詳細な説明】
【０００１】
【発明の属する技術分野】
本発明は、磁気ワイヤータグ付き書籍・雑誌に関する。特に、電磁場等の所定の場に影響を与える物体を書籍・雑誌本体の表紙内面にあらかじめ貼着してなる、盗難防止機能付き磁気ワイヤータグ付き書籍・雑誌に関する。
従って、本発明の利用分野は書籍・雑誌の製造や流通、販売の分野である。
【０００２】
【従来技術】
近年、コンビニエンスストア、スーパーマーケット、小売店、書籍店等の店舗おける商品の万引きや盗難防止を目的として、それらの商品や商品の包装に盗難防止用磁気タグを取り付けることが行われている。この盗難防止用磁気タグは、通常２０〜４０ｍｍ長さに切断した磁性ワイヤーからなり、一般的にはタックラベル化した状態で使用されている。
この磁気ワイヤータグ付き商品を代金支払いをしないで持ち出した場合は、タグに対する処理がされていないので、ある周波数の交番磁場をゲート状の送信と受信アンテナ間に向けて放射し、該アンテナ間に検出磁場が形成されている磁場内に不正持ち出しの商品が通過すると、バルクハゼン効果により磁性ワイヤーからパルスが発生し、これを制御装置に導き、警告や通路を閉鎖するシステムが採用されている。
【０００３】
【発明が解決しようとする課題】
この磁性ワイヤーを商品に取り付けるには、図５や図６に示すようなタックラベル化した磁気タグラベルをラベル下面の保護紙を剥離して粘着剤により商品に貼着することが行われている。
製本後の書籍・雑誌等に貼着する場合も同様であるが、表紙や背表紙、あるいは奥付け部分に貼着するのは目立ち易く、購入者に特別の管理がされていることを意識させるので好ましくない。また、手間がかかる上に書籍・雑誌のデザインや外観を損なうという問題もある。特に、中綴じ本の場合は背部が無いので貼着が困難である。
そこで、本発明では、本、雑誌等の完成後に磁気ワイヤータグを貼り付けるのではなく、折丁の印刷後であるが製本段階前に磁気ワイヤータグを人目に付かない部分に貼着して、その後に通常のように製本することで、この問題を解決しようとするものである。
磁気ワイヤータグは、折丁の間や折丁の中に取り付けられるので、取り外しができないから、正規に購入した書籍・雑誌と区別するためには、磁気ワイヤータグが非接触で無効にできるものであることが必要となる。
【０００４】
【課題を解決するための手段】
上記課題を解決するための本発明の要旨の第１は、本文頁と表紙を中綴じし、失活可能な磁気ワイヤータグを付けた書籍・雑誌であって、当該磁気ワイヤータグが中綴じするいずれかの折丁の仮表紙の外面または内面の折り目部であって、中綴じする針金を避けるように貼着されていることを特徴とする磁気ワイヤータグ付き書籍・雑誌、にある。
【０００５】
上記課題を解決するための本発明の要旨の第２は、本文頁を平綴じして表紙貼りし、失活可能な磁気ワイヤータグを付けた書籍・雑誌であって、当該磁気ワイヤータグが平綴じするいずれかの折丁の仮表紙の外面または内面のノド元近くであって、平綴じする針金を避けるように貼着されていることを特徴とする磁気ワイヤータグ付き書籍・雑誌、にある。
【０００６】
上記課題を解決するための本発明の要旨の第３は、本文頁と表紙を無線綴じまたはあじろ綴じして、失活可能な磁気ワイヤータグを付けた書籍・雑誌であって、当該磁気ワイヤータグが無線綴じまたはあじろ綴じするいずれかの折丁の仮表紙の外面または内面のノド元近くに貼着されていることを特徴とする磁気ワイヤータグ付き書籍・雑誌、にある。
【０００７】
上記において、磁気ワイヤータグがアモルファス金属細線の端部に失活用金属薄板を配置した構造からなるものとすれば容易に失活できる。また、磁気ワイヤーがノド元から３〜１０ｍｍ以内の位置に貼着されていれば、製本時のミーリングやラフニングに対しても安全である。
【０００８】
【発明の実施の形態】
以下、図面等を参照して、本発明の磁気ワイヤータグ付き書籍・雑誌について説明する。
図１は、磁気ワイヤータグ付き書籍・雑誌の実施形態を示す一部破断図であり、中綴じされた書籍・雑誌を示す。図２は、他の実施形態の一部破断図であって、平綴じ、無線綴じ、あじろ綴じされた書籍・雑誌を示している。
図３は、中綴じする書籍・雑誌の製造工程、図４は無線綴じする書籍・雑誌の製造工程を示す図である。
【０００９】
第１実施形態の磁気ワイヤータグ付き書籍・雑誌１は、図１のように、中綴じするいずれかの折丁の折り目部分であって、綴じ針金（ステッチ）３を避ける位置に、すなわち針金間か針金の上部または下部等に、磁気タグラベル２が貼着されている特徴がある。磁気タグラベル２が綴じ針金（ステッチ）３により折損したり接触するとラベルの機能がそこなわれるからである。
なお、本明細書では、磁気ワイヤーを用いているタグラベルを「磁気タグラベル」と表現することとする。磁気タグラベル２は、後に詳述するが、通常磁気ワイヤー２ｗを２枚の透明フィルム間に挟持したラベル状になっている。
【００１０】
第２実施形態の磁気ワイヤータグ付き書籍・雑誌１は、図２のように、平綴じ、無線綴じ、あじろ綴じするいずれかの折丁１１のノド元部分に合わせて磁気タグラベル２が貼着されている特徴がある。平綴じの場合も同様に綴じ針金（ステッチ）３を避ける位置に、磁気タグラベル２を貼り込みする必要がある。
ただし、無線綴じ、あじろ綴じの場合は針金留めはしないので、貼着位置の制限は少なくなる。
【００１１】
折丁を中綴じする場合は、図３（Ａ）のように折丁１１の仮表紙▲１▼と仮表紙▲４▼の間の折り目部１１ｂ部分や、図３（Ｂ）のように仮表紙▲２▼と仮表紙▲３▼の折り目部分に磁気タグラベル２を貼着することができる。
磁気タグラベル２の貼着後は、図３（Ｃ）のように、移動チェーン６上で本文ページに相当する折丁１１をホッパーから順次積み重ね、最後に表紙４を重ねて綴じ針金（ステッチ）３で中綴じする。その後、三方断裁して中綴じ本が完成する。磁気タグラベル２は、いずれか１の折丁に１枚貼着されていれば良い。
このようにして完成した磁気ワイヤー付き中綴じ本は、外観から磁気タグラベルを視認できないので、顧客に不安感や不快感を与えることがない。
【００１２】
折丁を平綴じ、無線綴じ，あじろ綴じする場合は、図４の工程で行う。
まず、図４（Ａ）（Ｂ）のように折丁１に磁気タグラベル２を貼着する。図４（Ａ）は折丁１１の断面、図４（Ｂ）は折丁を立てた状態を示している。
磁気タグラベル２の貼り込み位置は、折丁１１の仮表紙▲１▼と仮表紙▲４▼のノド元１１ｎなどが適当となる。この位置で出来本の外観上、ほとんど磁気タグラベルを認知できない状態になるからである。平綴じの場合は、特に綴じ針金（ステッチ）にかからないように磁気タグラベル２を貼着する必要がある。
【００１３】
無線綴じの場合、ミーリング代やラフニング代を考慮し、磁気ワイヤ２ｗの位置は、ノド元からＬ＝３〜４ｍｍ程度の間隔を開けた位置が好ましい。
あじろ綴じ製本の場合は、ノド元から１ｍｍ程度の位置に貼り込む場合でも製本が可能となるが、ラベルの幅が１０ｍｍ程度はあるので、ノド元から１ｍｍに磁気ワイヤが位置するように貼るのは実際的には困難と考えられる。
磁気タグラベルの貼着は専用のラベラー等を用いて行うことができる。
【００１４】
次いで、折丁を所定順序で丁合する（図４（Ｃ））。各丁合本の背部には折りの段階で、あらかじめスリットまたはスロット形状の切れ目（カット）が入れられている。あるいは折丁の背部を鋸歯状に削る（ミーリングまたはラフニングする。）ものでもよい（図４（Ｄ））。前者はあじろ綴じする場合、後者は無線綴じする場合に多く用いられる。
ミーリングまたはラフニングする場合は、前記のように安全を見てノド元から、３〜４ｍｍ程度の間隔を開けることが好ましい。また、１０ｍｍも超えて離れるとページ内で目立つのでより接近させるのが好ましい。
【００１５】
この丁合本５をクランプで保持しながら、背均しの済んだ丁合本の背に接着剤を塗工して仮固めする。針金で平綴じする場合は、ステッチを打った後に接着剤塗布、表紙くるみを行う（図４（Ｅ））。この場合も、磁気タグラベル２は、いずれか１の折丁に１枚貼り付けられていれば良い。
このようにして完成した平綴じ、無線綴じ、あじろ綴じ本も、外観から磁気タグラベルを視認できないので、顧客に不安感や不快感を与えることがない。
【００１６】
＜磁気タグラベルについて＞
磁気タグラベルには各種の実施形態があるが、失活可能な磁気タグラベル、すなわち無効にすること及びまた無効にしたものを再び有効にすることができる磁気タグラベルは、磁気ワイヤを強い永久磁石によって弱く磁化された金属で覆うか付着させることによって行われる。
書籍・雑誌等の場合は、正規に購入された場合には、レジの支払いの際にこの処理を行ない、セキュリティー装置の磁界では反転されなくなり検知されなくなる。間違って処理した場合には磁気を除くことによって再び有効にすることができ、この有効・無効の処理は何回でも行うことができる。
国内で現在、市販品として入手可能な失活可能な磁気タグラベルの形態としては、おおよそ２種類の形態がある。
【００１７】
図５、図６は、失活可能な磁気ワイヤの形態を示す図である。
図５は、アモルファス金属と失活用金属が粘着テープに保持された形態であり、図５（Ａ）は平面図、図５（Ｂ）は、Ａ−Ａ線拡大断面図である。
パルス発生磁性体であるアモルファス金属細線２ｗの端部または端部と中央部に該磁性体の保磁力よりは小さな保磁力を有する別の磁性体である失活用金属薄板２ｐを配置した構造となっている。この薄板のため、磁性細線ワイヤの反磁界が低減され、磁性細線ワイヤのみの構成では、反磁界が過大になって大バルクハウゼン効果が観察されないような短い寸法の磁気マーカからも良好なバルクハウゼン信号が得られると言われる。また、失活用金属を磁化させることにより、アモルファス金属が磁場中でも発生できないようにさせることができる。
磁気タグラベル２は、透明フィルム２ｆ間に金属細線２ｗを保持し、下面は粘着剤層２ｎとなっている。通常、粘着剤層２ｎは図示しないフィルムで保護されている。
【００１８】
磁性細線ワイヤには、コバルトと鉄にシリコンとボロンを加えたアモルファス軟磁性細線が、失活用金属薄板には、コバルト系のアモルファス薄板等が使用される。市販品には、磁気ワイヤとして、長さ３０ｍｍ程度のものを、図５のように失活用金属薄板に保持し粘着テープ化した形態のものがある。
【００１９】
図６は、磁気タグラベルの他の形態を示す図であって、図６（Ａ）は平面図、図６（Ｂ）は、磁気ワイヤ２ｗの拡大図である。
磁気タグラベル２の層構成は、図５と同様であって透明フィルム間に磁気ワイヤが保持され、下面は粘着剤層になっている。
この磁気ワイヤ２ｗは、芯層と呼ばれる比較的低い残磁性と保磁性をもつワイヤ芯部２ｗｃと、殻層と呼ばれる比較的高い残磁性と保磁性をもつワイヤ殻部２ｗｈとの二重構造のパイプ状になっている。磁気ワイヤとしては、直径０．２９ｍｍ程度、長さ３９ｍｍ程度のもの実用化されている。磁性ワイヤや失活用金属の材質は上記と同様のものと考えられる。
正規に購入した場合はレジで失活層が磁化されて前記磁性材料からパルスを発生しないようにされる。これによって不正持ち出し品との区別ができるようにされている。
【００２０】
磁気ワイヤータグを検出するシステムとしては、前記のように、ある周波数の交番磁場をゲート状の送信と受信アンテナ間に向けて放射すると、該アンテナ間に検出磁場が形成され、この磁場内を消去していない磁気ラベルが付いた不正持ち出しの商品が通過すると、磁性ワイヤーからパルスが発生する。これを制御装置に導き、警告するシステム等が各種市販されている。例えば、ダイヤロック社やメトー社のシステムが知られており、検知幅は９０ｃｍ〜１５０ｃｍ程度のものとなっている。
また、磁気ワイヤータグの消去装置としても、永久磁石を内蔵したマット状のものやスタンプ形式のものが市販されている。
【００２１】
【実施例】
（実施例１）
以下、本発明の実施例を図４、図５を参照して説明する。
コート紙（７０ｇ／ｍ２　）にオフセット輪転で印刷し、３２頁付き折丁１２冊を無線綴じして製本した。
折丁の一冊に、図５図示のような磁気タグラベル（ユニチカ株式会社製「３０Ｐラベル」）１枚を、磁性ワイヤー２ｗが折丁のノド元１１ｎから４ｍｍの位置になるように貼着した（図４（Ａ））。
【００２２】
当該磁気タグラベル２は、２枚の透明フィルム（幅１０ｍｍ×長さ３０ｍｍ）の間に、直径、０．２０ｍｍ程度、長さ３０ｍｍの磁性ワイヤ２ｗを、失活用金属薄板２ｐとして、幅２．５ｍｍ、長さ５．０ｍｍ程度の薄板を、図５のようにワイヤの端部と中央部に保持し粘着ラベル化した形態のものである。
前記折丁１２冊を丁合した後（図４（Ｃ））、折丁の背部をミーリングして鋸歯状に削り（図４（Ｄ））、背部をホットメルト型接着剤で無線綴じして固め、その後、表紙４を貼り付けして、三方仕上げ裁ちして磁気ワイヤータグ付き書籍を完成した（図４（Ｅ））。
【００２３】
この磁気ワイヤータグ付き書籍を商品チェックポイントシステム（メトー社「ＲＦ−ＥＡＳ」で、監視したところ有効に感知できることが確認された。
また、卓上型マット消去器（アイデックコントロール社製）で雑誌の磁気ワイヤを消去させたところ感知できなくなり、また再処理により、再生させたりできることも確認できた。
【００２４】
【発明の効果】
以上、詳しく説明したように本発明によれば以下の効果が得られる。
本発明の磁気ワイヤータグ付き書籍・雑誌は、磁気ワイヤータグが表紙で覆われた折丁の背部等に貼着されているので、書籍の外観からは視認できないので、購入者に監視されているような不安感や不快感を起こさせることがない。
磁気ワイヤータグが製本工程において貼着されるので、製本後に取り付ける手間を省くことができる。
また、磁気ワイヤータグが表面にないので、造本上デザイン的な制限を生じることもない。
【図面の簡単な説明】
【図１】磁気ワイヤータグ付き書籍・雑誌の実施形態を示す一部破断図であり、中綴じされた書籍・雑誌を示す。
【図２】他の実施形態の一部破断図であって、平綴じ、無線綴じ、あじろ綴じされた書籍・雑誌を示している。
【図３】中綴じする書籍・雑誌の製造工程を示す図である。
【図４】無線綴じする書籍・雑誌の製造工程を示す図である。
【図５】失活可能な磁気タグラベルの形態を示す図である。
【図６】失活可能な磁気タグラベルの他の形態を示す図である。
【符号の説明】
１　　磁気ワイヤータグ付き書籍・雑誌
２　　磁気ワイヤータグ、磁気タグラベル
２ｗ　磁気ワイヤ
３　　針金（ステッチ）
４　　表紙
６　　移動チェーン
１１　　折丁
１１ｎ　折丁のノド元
【図１】
2004066608.tif 000003
【図２】
2004066608.tif 000004
【図３】
2004066608.tif 000005
【図４】
2004066608.tif 000006
【図５】
2004066608.tif 000007
【図６】
2004066608.tif 000008